(57)【特許請求の範囲】
【請求項１】
血圧を測定する測定動作を実行する血圧測定部と、
時刻情報を含む電波を受信するアンテナと、
時刻を計時する計時部と、
前記血圧測定部による測定結果の情報と前記計時部から得られる測定時刻の情報とを対応付けて出力する出力部と、
制御回路を構成する制御部と、を有し、
前記制御部は、前記アンテナに電波を受信させて得られた時刻情報に基づき前記計時部の時刻を設定する受信動作を実行するとともに、前記測定動作と前記受信動作が同時に実行されないように制御することを特徴とする電子血圧計。
【請求項２】
前記制御部は、前記受信動作の実行中には前記血圧測定部への通電を停止させる、請求項１に記載の電子血圧計。
【請求項３】
前記測定動作を開始させる指示を使用者が入力可能な測定スイッチをさらに有し、
前記制御部は、前記受信動作の実行中に前記測定スイッチが操作された場合には、当該受信動作を中止させる、請求項１または２に記載の電子血圧計。
【請求項４】
前記制御部は、前記測定動作の実行中に前記アンテナによる電波の受信予定時刻が来た場合には、当該受信予定時刻における前記受信動作の実行を中止させる、請求項３に記載の電子血圧計。
【請求項５】
前記出力部は、前記測定結果と前記測定時刻とを対応付けて表示する表示部であり、
前記制御部は、前記表示部による前記測定結果の表示中に前記アンテナによる電波の受信予定時刻が来た場合には、当該受信予定時刻における前記受信動作の実行を中止させる、請求項３または４に記載の電子血圧計。
【請求項６】
血圧測定の予定時刻を使用者に報知するアラームをさらに有し、
前記制御部は、前記アラームの鳴動中に前記アンテナによる電波の受信予定時刻が来た場合には、当該受信予定時刻における前記受信動作の実行を中止させる、請求項３〜５のいずれか一項に記載の電子血圧計。
【請求項７】
前記制御部は、前記受信動作の実行が中止された後の別の時刻を前記アンテナによる新たな電波の受信予定時刻として再設定する、請求項３〜６のいずれか一項に記載の電子血圧計。
【請求項８】
血圧測定の予定時刻を使用者に報知するアラームと、
時刻設定に関する指示を使用者が入力可能な共通スイッチと、をさらに有し、
前記制御部は、使用者による前記共通スイッチの操作方法に応じて、前記アンテナに電波を強制受信させることによる前記計時部の時刻の設定と、使用者の手動操作による前記計時部の時刻の設定と、前記アラームの鳴動時刻の設定とのいずれかを開始させる、請求項１〜５のいずれか一項に記載の電子血圧計。
【請求項９】
前記計時部は、年月日も含めて時刻を計時し、
前記計時部に設定可能な年の値は特定の範囲内に制限されており、
前記制御部は、前記時刻情報から得られた年の値が前記特定の範囲に含まれない場合には、前記計時部の時刻の設定に当該時刻情報を使用しない、請求項１〜８のいずれか一項に記載の電子血圧計。
【発明の詳細な説明】
【技術分野】
【０００１】
本発明は、電子血圧計に関する。
【背景技術】
【０００２】
血圧の測定結果と測定日時を対応付けて記憶する電子血圧計が広く用いられている。こうした電子血圧計では、内蔵された時計が示す時刻（日時）を設定する必要があるが、特に高齢者にとっては時計の設定操作は煩雑であり、自動的に時計の時刻が設定できれば便利である。そこで、情報通信研究機構が運用している標準電波を受信することにより、機器に内蔵された時計の日時を自動的に設定または修正することが可能な電波時計機能付きの電子血圧計が提案されている（例えば特許文献１，２を参照）。電波時計には、例えば毎日、予め定められた時刻に１回または複数回、自動的に標準電波を受信して、その時計が示す日時を修正する機能がある。
【先行技術文献】
【特許文献】
【０００３】
【特許文献１】特許第５１６９６４４号公報
【特許文献２】特許第５０９２７８１号公報
【発明の概要】
【発明が解決しようとする課題】
【０００４】
一般に、電波時計は、標準電波の受信中には時刻の設定処理が優先されて、すべての操作が無効になる。しかしながら、電子血圧計において血圧測定よりも電波受信と時刻設定を優先してしまうと、血圧測定中に受信予定時刻が来た場合に、受信の開始により測定が中断されてしまい、使用者が意図した動作を妨げることになる。また、多くの電子血圧計では静電容量型の圧力センサ、モータ式のポンプ、電磁弁などの電子部品が用いられており、電波の受信時にこれらを動作させると、圧力センサの発振回路、ポンプや電磁弁内のコイル部分などから電磁ノイズが発生して、受信性能に悪影響を与える可能性がある。
【０００５】
そこで、本発明は、血圧計としての本来の動作を妨げることなく時刻情報を含む電波を確実に受信して内蔵された計時部が示す時刻を設定可能な電子血圧計を提供することを目的とする。
【課題を解決するための手段】
【０００６】
本発明の電子血圧計は、血圧を測定する測定動作を実行する血圧測定部と、時刻情報を含む電波を受信するアンテナと、時刻を計時する計時部と、血圧測定部による測定結果の情報と計時部から得られる測定時刻の情報とを対応付けて出力する出力部と、制御回路を構成する制御部とを有し、制御部は、アンテナに電波を受信させて得られた時刻情報に基づき計時部の時刻を設定する受信動作を実行するとともに、測定動作と受信動作が同時に実行されないように制御することを特徴とする。
【０００７】
上記の電子血圧計では、制御部は、受信動作の実行中には血圧測定部への通電を停止させることが好ましい。
上記の電子血圧計は、測定動作を開始させる指示を使用者が入力可能な測定スイッチをさらに有し、制御部は、受信動作の実行中に測定スイッチが操作された場合には、その受信動作を中止させることが好ましい。
制御部は、測定動作の実行中にアンテナによる電波の受信予定時刻が来た場合には、その受信予定時刻における受信動作の実行を中止させることが好ましい。
出力部は、測定結果と測定時刻とを対応付けて表示する表示部であり、制御部は、表示部による測定結果の表示中にアンテナによる電波の受信予定時刻が来た場合には、その受信予定時刻における受信動作の実行を中止させることが好ましい。
上記の電子血圧計は、血圧測定の予定時刻を使用者に報知するアラームをさらに有し、制御部は、アラームの鳴動中にアンテナによる電波の受信予定時刻が来た場合には、その受信予定時刻における受信動作の実行を中止させることが好ましい。
制御部は、受信動作の実行が中止された後の別の時刻をアンテナによる新たな電波の受信予定時刻として再設定することが好ましい。
上記の電子血圧計は、時刻設定に関する指示を使用者が入力可能な共通スイッチをさらに有し、制御部は、使用者による共通スイッチの操作方法に応じて、アンテナに電波を強制受信させることによる計時部の時刻の設定と、使用者の手動操作による計時部の時刻の設定と、アラームの鳴動時刻の設定とのいずれかを開始させることが好ましい。
計時部は、年月日も含めて時刻を計時し、計時部に設定可能な年の値は特定の範囲内に制限されており、制御部は、時刻情報から得られた年の値が特定の範囲に含まれない場合には、計時部の時刻の設定にその時刻情報を使用しないことが好ましい。
【発明の効果】
【０００８】
上記の電子血圧計によれば、血圧計としての本来の動作を妨げることなく、時刻情報を含む電波を確実に受信して、内蔵された計時部が示す時刻を設定することが可能になる。
【図面の簡単な説明】
【０００９】
【図１】電子血圧計１０の外観を示す斜視図である。
【図２】電子血圧計１０の機能ブロック図である。
【図３】電子血圧計１０の内部構成を示す平面図である。
【図４】電子血圧計１０の内部構成を示す断面図である。
【図５】電子血圧計１０による血圧の測定動作の例を示すフローチャートである。
【図６】電子血圧計１０によるモード切替え処理の例を示すフローチャートである。
【図７】電子血圧計１０による電波受信処理の例を示すフローチャートである。
【図８】電子血圧計１０による年データ判定処理の例を示すフローチャートである。
【図９】電子血圧計１０による受信開始判定処理の例を示すフローチャートである。
【図１０】電子血圧計１０による受信制限処理の例を示すフローチャートである。
【発明を実施するための形態】
【００１０】
以下、図面を参照しつつ、電子血圧計について説明する。ただし、本発明は図面または以下に記載される実施形態には限定されないことを理解されたい。
【００１１】
図１は、電子血圧計１０の外観を示す斜視図である。また、図２は、電子血圧計１０の機能ブロック図である。
【００１２】
電子血圧計１０は、本体ケース２０、空気管７０およびカフ８０を有する。カフ８０は、図示しない気体袋を内蔵し、使用時に使用者（被測定者）の上腕部などの被測定部に固定される。空気管７０は、カフ８０内の気体袋と本体ケース２０とを接続する。なお、本明細書でいう電子血圧計は上腕式のものには限定されず、例えば使用者の手首など、別の被測定部に固定されて使用されるものであってもよい。
【００１３】
図１に示すように、電子血圧計１０は、本体ケース２０の正面に、表示部２１と操作部２２を有する。また、図２に示すように、電子血圧計１０は、本体ケース２０の内部に、加圧ポンプ２３、駆動回路２４、圧力センサ２５、発振回路２６、電磁制御弁２７、駆動回路２８、電源部２９、電波時計３０、アラーム４０、ブザー４５、メモリ５０および制御部６０を有する。
【００１４】
電子血圧計１０は、標準電波を受信するアンテナが搭載された電波時計機能付きの電子血圧計であり、時刻情報を含む標準電波を受信して内蔵の計時部が示す時刻（日時）を修正することにより、現在時刻を計時する。なお、「時刻情報」は、「時」、「分」および「秒」に限らず、「年」、「月」および「日」の情報を含んでもよい。また、「時刻情報」は、さらに「曜日」の情報まで含んでもよい。
【００１５】
表示部２１は、例えば液晶表示パネルで構成され、本体ケース２０の正面上側に配置されている。表示部２１は、最高血圧および最低血圧の測定値（測定結果）２１Ａ、脈拍の測定値２１Ｂ、測定日を含む現在時刻２１Ｃ、血圧分類２１Ｄなどを表示する。このうち、血圧分類２１Ｄは、例えば日本高血圧学会により策定された高血圧基準に基づき、測定値が正常血圧、正常高値および高血圧のいずれであるかを示す。表示部２１には、過去に測定され、電子血圧計１０内のメモリ５０に記憶されている測定値を表示することもできる。また、血圧測定が行われないときには、表示部２１に現在時刻（または日時）のみを表示させて、電子血圧計１０を時計として使用することもできる。
【００１６】
表示部２１は、血圧測定部による測定結果の情報と計時部から得られる測定時刻の情報とを対応付けて出力する出力部の一例である。なお、電子血圧計にプリンタを内蔵させて測定結果と測定時刻（測定日時）の情報を印刷出力できるようにしてもよいし、電子血圧計を有線または無線によりＰＣ、携帯端末などの外部装置に接続できるようにして、測定結果と測定時刻（測定日時）の情報を外部装置にデータ出力してもよい。
【００１７】
操作部２２は、使用者により操作される各種のスイッチ（ボタン）により構成され、本体ケース２０の正面下側に配置されている。操作部２２は、測定／停止スイッチ２２Ａ、進むスイッチ２２Ｂ、戻るスイッチ２２Ｃ、時計スイッチ２２Ｄ、使用者選択スイッチ２２Ｅおよび朝／夜切替えスイッチ２２Ｆを有する。
【００１８】
測定／停止スイッチ２２Ａは、血圧測定を開始または停止させるためのスイッチ（測定スイッチの一例）であり、電子血圧計１０の電源スイッチを兼ねている。進むスイッチ２２Ｂと戻るスイッチ２２Ｃは、例えば電子血圧計１０に内蔵された制御部６０内の計時部３５の時刻（日時）を使用者が手動で設定するときなどにおいて、複数の候補のいずれかを選択する操作に使用される。
【００１９】
時計スイッチ２２Ｄは、時刻設定に関する指示を使用者が入力可能な共通スイッチの一例である。時計スイッチ２２Ｄは、標準電波を強制的に受信させることによる計時部３５の時刻設定（日時設定）、使用者の手動操作による計時部３５の時刻設定（日時設定）、およびアラーム４０の鳴動時刻の設定の指示を使用者が入力するときに共通に使用される。スイッチを配置可能な本体ケース２０の正面の面積は限られているので、これらの指示を入力するためのスイッチをそれぞれ別個に設けると、スイッチの個数が増えて使用者に煩雑な印象を与えることになるとともに、個々のスイッチが小さくなって使い勝手が悪くなる。そこで、電子血圧計１０では、電波の強制受信、手動での時刻設定およびアラームの時刻設定という時計に関わる３つのモードに移行するためのスイッチが、時計スイッチ２２Ｄに集約されている。時計に関わる各モードへの移行操作が１つのスイッチにまとめられることで、スイッチの個数が減り、使用者に煩雑な印象を与えずに済む。また、血圧測定の操作は測定／停止スイッチ２２Ａ、時刻設定の操作は時計スイッチ２２Ｄというように分けることで、使用者にとっては操作が直感的に分かりやすくなる。
【００２０】
使用者選択スイッチ２２Ｅは、メモリ５０に測定結果を記憶するときに、どの使用者についての測定結果なのかを選択するために使用される。電子血圧計１０では、登録された２人の使用者についての測定値をメモリ５０に分けて記憶することができ、使用者選択スイッチ２２Ｅは、メモリ５０内の過去の測定結果を読み出すときに使用者を選択するためにも使用される。朝／夜切替えスイッチ２２Ｆは、メモリ５０内に記憶されている過去の測定結果のうち、朝に対応する特定の時間帯に測定されたものだけを、または夜に対応する特定の時間帯に測定されたものだけを読み出して表示するときに使用される。
【００２１】
図３および図４は、それぞれ、電子血圧計１０の内部構成を示す平面図および断面図である。図３は、本体ケース２０の正面部分、本体ケース２０内部の回路基板および表示部２１を取り除いた状態の電子血圧計１０を示している。また、これらの図は、電子血圧計１０の主要な構成部品のうちの一部のみを示している。
【００２２】
空気管７０は、本体ケース２０内の左側端部２０Ａに設けられたコネクタ７１を介して本体ケース２０に取り付けられる。加圧ポンプ２３、圧力センサ２５および電磁制御弁２７は、血圧測定部の一例であり、本体ケース２０の外側および内側の空気管７０を介してカフ８０内の気体袋と接続されている。
【００２３】
加圧ポンプ２３は、カフ８０に空気などの気体を送り込むことによってカフ８０内の気体袋を加圧するポンプ部２３Ａと、ポンプ部２３Ａを駆動するモータ部２３Ｂで構成される。加圧ポンプ２３は、ポンプ部２３Ａを本体ケース２０内の左側端部２０Ａ側に向け、コイルなどの金属物を含むモータ部２３Ｂを本体ケース２０内の右側端部２０Ｂ側に向けて配置されている。すなわち、モータ部２３Ｂは、ポンプ部２３Ａより右側端部２０Ｂに近い位置に配置されている。駆動回路２４は、制御部６０から与えられる制御信号に基づいて、加圧ポンプ２３を駆動するための回路である。なお、加圧ポンプ２３として、例えば圧電ポンプなど、モータを伴わないものを使用してもよい。
【００２４】
圧力センサ２５は、例えば静電容量型センサであり、カフ８０の気体袋内の圧力に応じて静電容量値が変化する。圧力センサ２５に接続された発振回路２６は、圧力センサ２５の静電容量値の変化により周波数が変化する信号を制御部６０に出力するための回路である。カフ８０の気体袋内の圧力は、この周波数の変化から算出される。なお、圧力センサ２５として、半導体圧力センサなど、発振回路を伴わないものを使用してもよい。
【００２５】
電磁制御弁（電磁弁）２７は、コイルなどの金属物を含み、電磁石により鉄心を動かすことで開閉する仕組みの弁である。電磁制御弁２７は、通電の有無および制御信号のパルス幅に応じて、開放状態、遮蔽状態およびそれらのどちらでもない弁がわずかに開いた状態のいずれかになる。電磁制御弁２７は、例えば測定終了時または中止時にカフ８０内の空気を強制排気するための強制排気弁、および血圧測定中に加圧されたカフ８０内の空気を定速で排気してカフ８０を徐々に減圧するためのスローリーク弁として機能する。電磁制御弁２７は、加圧ポンプ２３のモータ部２３Ｂより本体ケース２０内の右側端部２０Ｂに近い位置に配置されている。駆動回路２８は、制御部６０から与えられる制御信号に基づき電磁制御弁２７を直流駆動または周波数駆動して電磁制御弁２７を開閉させるための回路である。なお、電磁制御弁の代わりに、開放状態、遮蔽状態のみを実現する強制排気弁と、ゴムなどの機構的動作で減圧状態を実現するスローリーク弁とを使用してもよい。
【００２６】
電源部２９は、ＤＣジャック２９Ａ、電池２９Ｂおよび電圧低下検出部２９Ｃを有する。ＤＣジャック２９Ａには、電子血圧計１０の電源ケーブル（ＡＣアダプタ）が接続される。ＤＣジャック２９Ａは、接続部の一例であり、電源ケーブルとの接続部分に金属物を含む。ＤＣジャック２９Ａは、本体ケース２０内の右側端部２０Ｂ側に、より正確には、加圧ポンプ２３のモータ部２３Ｂより本体ケース２０内の右側端部２０Ｂに近い位置に配置されている。電子血圧計１０は、ＤＣジャック２９Ａに電源ケーブルを介して接続された外部電源か、または電池２９Ｂにより供給される電力を用いて動作する。電圧低下検出部２９Ｃは、電子血圧計１０が電池２９Ｂで動作する場合に、電池２９Ｂの電圧低下を検出し、検知信号を制御部６０に出力する。
【００２７】
電波時計３０は、アンテナ３１および受信回路３２を有する。
【００２８】
アンテナ３１は、時刻情報を含む電波を受信するアンテナであり、本体ケース２０内の左側端部２０Ａに配置されている。アンテナ３１は、例えば毎日の午前２時など、予め定められた時刻に自動で標準電波（例えば、４０ｋＨｚまたは６０ｋＨｚのＪＪＹ標準電波に代表される長波）を受信する。また、電子血圧計１０では、使用者の操作により電波の受信を開始させることもでき、アンテナ３１は、時計スイッチ２２Ｄが操作されたときにも標準電波を受信する。なお、アンテナ３１として、標準電波に限らず、時刻情報を含む他の電波を受信するアンテナを設けてもよい。
【００２９】
上記した各部のうち、特にモータ部２３Ｂ、電磁制御弁２７およびＤＣジャック２９Ａは、金属物を含む電子部品である。金属物は電波を反射するため、アンテナ３１の近傍にこうした電子部品が配置されていると、アンテナ３１の受信性能に悪影響を与える可能性がある。そこで、図３および図４に示すように、電子血圧計１０では、アンテナ３１は本体ケース２０内の左側端部２０Ａ側（本体ケース２０内の中央より左側）に配置され、金属物を含むモータ部２３Ｂ、電磁制御弁２７およびＤＣジャック２９Ａは、本体ケース２０内の右側端部２０Ｂ側（本体ケース２０内の中央より右側）に集中して配置されている。左側端部２０Ａは一端部の一例であり、右側端部２０Ｂは、一端部に対向する他端部の一例である。言い換えると、アンテナ３１は、本体ケース２０内で、金属物を含む電子部品と対向する位置に、なるべく距離を置いて配置されている。これにより、各電子部品の金属物からの影響が抑えられ、アンテナ３１が安定して標準電波を受信することができるため、電波時計３０の時刻設定の確実性が増加する。
【００３０】
受信回路３２は、アンテナ３１により受信された標準電波の受信信号から搬送波成分を除去して日付および時刻（日時）の情報（時刻情報）を抽出するための回路である。受信回路３２により抽出された日時の情報は、制御部６０の計時部３５に出力される。
【００３１】
アラーム４０は、予め設定された時刻に例えばビープ音やメロディなどの複数種類のアラーム音を鳴動させて、使用者に血圧測定を促すための機構である。アラーム４０は、音量を複数段階に変更可能に構成される。
【００３２】
一般に、時計のアラーム音は音量も含めて１種類に固定されているが、電子血圧計の場合には複数人が１台の機器をそれぞれ異なる時刻に使用することが考えられるため、１種類のアラーム音では、どの使用者が設定したアラームなのかを各自が判別することができない。また、アラーム音の音量が固定されていると、鳴動する時間帯やそのときの周囲環境に応じた適切な音量でアラームを鳴動させることができない。そこで、電子血圧計１０では、アラーム４０の鳴動時刻を複数設定可能にするとともに、アラーム音の種類と音量を、アラーム設定ごと（すなわち使用者ごと）に個別に選択可能にしている。例えば、各使用者は、アラーム設定ごとに、アラーム音としてビープ音Ａ、ビープ音Ｂ、メロディＡおよびメロディＢのいずれかと、音量として大、中、小のいずれかを選択することができる。そして、アラーム４０は、計時部３５が示す現在時刻がアラームの鳴動時刻になったときに、その鳴動時刻について選択されているアラーム音と音量で鳴動する。これにより、各使用者は、１台の機器を複数人で使用していても、どの使用者が設定したアラームなのかを判別することができ、鳴動する時間帯やそのときの周囲環境に応じた適切な音量でアラーム４０を鳴動させることも可能になる。
【００３３】
ブザー４５は、電子血圧計１０の血圧測定動作中に必要に応じてビープ音を発生させ、使用者に注意を喚起する。ブザー４５は、複数種類のビープ音を発生可能に構成される。
【００３４】
図１に符号２１Ａ，２１Ｄで示したように、電子血圧計１０では血圧の測定値およびその血圧分類が表示部２１に表示されるが、例えば周囲が暗く表示部２１が見にくいときには、これらの結果表示は使用者にとって分かりにくい。そこで、ブザー４５は、測定結果が表示部２１に表示されるときに、その血圧分類に応じて異なるビープ音を発生させてもよい。この場合、例えば、ブザー４５は、血圧の測定値が高血圧、正常高値、正常血圧の範囲に含まれるときには、制御部６０による制御の下で、それぞれビープ音Ａ、ビープ音Ｂ、ビープ音Ｃを発生させる。あるいは、血圧の測定値が正常血圧のときにはビープ音を発生させないようにしてもよい。これにより、使用者は、測定値の血圧分類を容易に知ることができる。
【００３５】
なお、ブザー４５は、１回ごとの測定値ではなく、複数回の測定値の平均値がいずれの血圧分類に含まれるかに応じて異なるビープ音を発生させてもよい。あるいは、表示部２１に血圧分類２１Ｄを表示させずに、ブザー４５のビープ音だけで使用者に血圧分類を報知してもよい。
【００３６】
また、ブザー４５は、アンテナ３１による標準電波の受信が成功したときにビープ音を発生させてもよい。あるいは、受信が成功したときにはメロディを発生させ、受信が失敗したときにビープ音を発生させてもよい。一般に、電波時計では標準電波の受信の成否は表示部のアイコンなどで示されるが、それでは、例えば周囲が暗く表示部が見にくいときには、受信結果が使用者にとって分かりにくい。アンテナ３１による標準電波の受信結果をビープ音で報知することにより、使用者は、特に時計スイッチ２２Ｄを操作して受信を開始させたときに、表示部２１を見なくても受信結果を容易に知ることができる。
【００３７】
メモリ５０は、電子血圧計１０の動作に必要な情報を記憶する。また、メモリ５０は、使用者が血圧値の変化の傾向を把握できるように、使用者選択スイッチ２２Ｅに対応する２人の使用者のそれぞれについて、最高血圧、最低血圧および脈拍の測定値の履歴を記憶する。特に、メモリ５０は、血圧値などの測定結果の情報と計時部３５から得られる測定時刻（測定日時）の情報とを対応付けて記憶する。メモリ５０としては、例えば、ＥＥＰ−ＲＯＭなどの外付けメモリが使用される。あるいは、メモリ５０に代えて、制御部６０に内蔵されているメモリ機能を使用してもよい。
【００３８】
制御部６０は、ＣＰＵ、ＲＡＭ、ＲＯＭなどを含む制御回路として構成される。制御部６０は、ＣＰＵにより実現される機能ブロックとして、計時部３５、測定制御部６１、測定値演算部６２、表示制御部６３、時計制御部６４および受信制御部６５を有する。
【００３９】
計時部３５は、受信回路３２により抽出された時刻情報に基づき時刻（日時）を計時し、現在時刻のデータを表示制御部６３に出力する。なお、計時部３５が計時する現在時刻には、年月日と曜日も含まれる。
【００４０】
測定制御部６１は、使用者により測定／停止スイッチ２２Ａが操作されたときに、カフ８０を加圧および減圧して血圧を測定する測定動作を実行するように、加圧ポンプ２３、圧力センサ２５および電磁制御弁２７などを制御する。その際、測定制御部６１は、圧力センサ２５により検出される圧力を監視しながら使用者の最高血圧を予測算出し、その予測値を一定量上回る圧力値、例えば、最高血圧より４０ｍｍＨｇ高い圧力までカフ８０を加圧するように、駆動回路２４を制御する。また、測定制御部６１は、電磁制御弁２７の開閉を制御するための制御信号を駆動回路２８に与えて、電磁制御弁２７によるカフ８０内の空気の排気を制御する。なお、測定動作とは、より正確には、電磁制御弁２７を遮蔽状態としてカフ８０の加圧を開始してから、測定値を算出して表示部２１に表示し、電磁制御弁２７を開放状態にしてカフ８０内の空気を排気させるまでの一連の動作を指す。
【００４１】
また、測定制御部６１は、アンテナ３１に電波を受信させて得られた時刻情報に基づき計時部３５の時刻（日時）を設定する受信動作の実行中には、加圧ポンプ２３、駆動回路２４、圧力センサ２５、発振回路２６、電磁制御弁２７および駆動回路２８への通電を停止させる。これは、モータ部２３Ｂや電磁制御弁２７に通電するとそれらに含まれるコイルから電磁ノイズが発生し、その電磁ノイズがアンテナ３１の受信性能に悪影響を与える可能性があるためである。上記した加圧ポンプ２３などの各部は血圧測定時にのみ動作させればよいため、電波受信中にはこれらの各部への通電を行わないことで、電磁ノイズの発生を抑制する。これにより、アンテナ３１が安定して標準電波を受信することができるため、電波時計３０の時刻設定の確実性が増加する。
【００４２】
測定値演算部６２は、発振回路２６が生成した信号の周波数の変化から検出される各脈波の開始圧力値やその振幅値などのデータに基づき、例えばオシロメトリック方式を利用して、被測定者の最高血圧と最低血圧を算出する。なお、測定値演算部６２は、カフ８０を減圧する過程で使用者の血圧を測定するが、本明細書でいう電子血圧計は、カフを加圧する過程で血圧測定を行うものでもよい。また、測定値演算部６２は、血圧値とともに被測定者の脈拍も測定し、さらに、例えば日本高血圧学会により策定された高血圧基準に基づき、血圧の測定値が正常血圧、正常高値および高血圧のいずれであるかを判定する。
【００４３】
表示制御部６３は、血圧測定時に、測定値演算部６２により測定された最高血圧値、最低血圧値および脈拍値、計時部３５から通知された測定時刻（測定日時）、ならびに測定値演算部６２により判定された測定結果の血圧分類を表示部２１に表示させる。また、表示制御部６３は、使用者選択スイッチ２２Ｅが操作されたときに、対応する使用者についてメモリ５０に記憶されている測定値の履歴を表示部２１に表示させる。また、表示制御部６３は、血圧測定が行われていないときには、計時部３５から通知された現在時刻（日時）を表示部２１に表示させる。さらに、表示制御部６３は、電圧低下検出部２９Ｃにより電池２９Ｂの電圧低下が検出されたときには、電池電圧が低下したことを示すマークを表示部２１に表示させる。
【００４４】
図５は、電子血圧計１０による血圧の測定動作の例を示すフローチャートである。図５〜図１０に示す処理フローは、制御部６０のＲＯＭに予め記録されているプログラムに従って、制御部６０のＣＰＵにより実行される。
【００４５】
血圧測定に際して、使用者（被測定者）は、カフ８０を上腕部に装着し、操作部２２の測定／停止スイッチ２２Ａを操作して測定開始を指示する。これに応じて、測定制御部６１は、まず電磁制御弁２７に通電させて電磁制御弁２７を遮蔽状態にする（Ｓ１１）。そして、測定制御部６１は、駆動回路２４を制御して加圧ポンプ２３を動作させ、カフ８０内に空気を送り込むことにより、カフ８０内の気体袋の圧力が最高血圧の予測値を一定量（例えば４０ｍｍＨｇ）上回る圧力値になるまでカフ８０を加圧する（Ｓ１２）。その後、測定制御部６１は、加圧ポンプ２３を停止させるとともに、駆動回路２８を制御して、電磁制御弁２７をわずかに開いた状態にする（Ｓ１３）。これにより、カフ８０内の空気は、スローリーク弁として機能する電磁制御弁２７により定速で排気される。
【００４６】
このカフ８０が減圧される過程で、測定値演算部６２は、発振回路２６から入力される信号の周波数に基づき、被測定者の最高血圧、最低血圧および脈拍を測定する（Ｓ１４）。測定値が確定すると、表示制御部６３は、計時部３５から通知された測定時刻（日時）とともに、これらの測定結果を表示部２１に表示させる（Ｓ１５）。また、測定制御部６１は、使用者により使用者選択スイッチ２２Ｅが操作されると、対応する使用者についての履歴情報として、測定時刻（日時）と測定結果とを対応付けてメモリ５０に記憶させる（Ｓ１６）。また、測定制御部６１は、電磁制御弁２７を無通電にして電磁制御弁２７を開放状態とすることにより、カフ８０内の空気を急速に排気させる（Ｓ１７）。以上で、電子血圧計１０による血圧の測定動作は終了する。
【００４７】
時計制御部６４は、時計スイッチ２２Ｄが操作されたときに、その操作方法に応じて、アンテナ３１に電波を強制受信させることによる計時部３５の時刻の設定と、使用者の手動操作による計時部３５の時刻の設定と、アラーム４０の鳴動時刻の設定とのいずれかを開始させる。すなわち、時計制御部６４は、電波の強制受信モード、手動時刻設定モードおよびアラーム時刻設定モードのいずれかに、電子血圧計１０を移行させる。なお、計時部３５の時刻の設定には、年月日の設定も含まれる（すなわち、日時が設定される）。
【００４８】
手動時刻設定モードでは、時計制御部６４は、使用者の操作に応じて計時部３５の時刻を設定する。また、アラーム時刻設定モードでは、時計制御部６４は、使用者の操作に応じてアラーム４０の鳴動時刻を設定する。そして、時計制御部６４は、計時部３５が示す現在時刻がその鳴動時刻に一致したときに、アラーム４０を鳴動させる。
【００４９】
強制受信モードでは、時計制御部６４は、アンテナ３１に電波を受信させて得られた時刻情報に基づき計時部３５の時刻を設定する受信動作を実行する。具体的には、時計制御部６４は、アンテナ３１に標準電波の受信を開始させ、標準電波に１分ごとに含まれる分、時、日（１月１日からの通算日）、年および曜日の情報を受信回路３２により抽出させる。そして、時計制御部６４は、これらの情報を１組の時刻情報として、複数組の時刻情報を取得する。さらに、時計制御部６４は、取得された複数組の時刻情報がそれぞれの取得の時間間隔に対応して１分間または数分間だけ異なる時刻を表しているか否かを判定する（整合性判定）。複数組の時刻情報に整合性がある場合には、時計制御部６４は、受信に成功したものとみなし、その時刻情報を使用して計時部３５の時刻を設定する。逆に、例えば複数組の時刻情報が異なる日の時刻を示している場合など、整合性がない場合には、時計制御部６４は、受信に失敗したものとみなし、それらの時刻情報は計時部３５の時刻の設定に使用しない。
【００５０】
また、時計制御部６４は、時計スイッチ２２Ｄが操作されていないときでも、予め定められた電波の受信予定時刻に、強制受信モードのときと同様に、アンテナ３１に電波を受信させて得られた時刻情報に基づき計時部３５の時刻を設定する受信動作を実行する。また、時計制御部６４は、強制受信モードのときと予め定められた受信予定時刻になったときのいずれでも、アンテナ３１による電波の受信に成功しない場合には、予め定められた長さの受信期間だけ、アンテナ３１に電波を繰り返し受信させる。
【００５１】
計時部３５は年月日も含めて時刻を計時するが、電子血圧計１０では、計時部３５に設定可能な年の値は、例えば製造年から３０年間などの特定の範囲内に制限されている。これは、計時部３５の時刻を使用者が手動で設定するときに進むスイッチ２２Ｂと戻るスイッチ２２Ｃが使用されることから、年の値を設定可能な範囲を狭めて使用者の操作量を少なくするためである。電波の受信に成功しても、ノイズの影響により現実と異なる年の値を現在時刻の年データとして確定する場合があり得るので、電子血圧計１０では、データの正確性を高めるために、この年設定可能値の制限を利用する。
【００５２】
具体的には、時計制御部６４は、上記の整合性判定に加えて、取得された時刻情報から得られた年の値が計時部３５に設定可能な特定の範囲内であるか否かを判定する。そして、時計制御部６４は、取得された時刻情報から得られた年の値がその特定の範囲内に含まれない場合には、受信にエラーがあったと判定する。この場合、時計制御部６４は、その時刻情報を計時部３５の時刻設定に使用せず（すなわち日時を確定せず）、アンテナ３１に再度電波を受信させる。これにより、計時部３５が誤った日時に設定される可能性が低くなる。
【００５３】
図６は、電子血圧計１０によるモード切替え処理の例を示すフローチャートである。図６のフローは、電子血圧計１０の電源がオフの状態で時計スイッチ２２Ｄが押下されたときに実行される。
【００５４】
時計スイッチ２２Ｄが押下されると、時計制御部６４はその操作を検出する（Ｓ２１）。時計制御部６４は、時計スイッチ２２Ｄが押下されたが（Ｓ２１でＹｅｓ）、その状態が２秒以上継続したことを検出しない場合（Ｓ２２でＮｏ）には、電子血圧計１０をアラーム時刻設定モードに移行させる。アラーム時刻設定モードでは、時計制御部６４は、使用者の操作に応じてアラーム４０の鳴動時刻を設定する（Ｓ２３）。設定が終了するか途中で測定／停止スイッチ２２Ａが押下されると、電子血圧計１０は電源がオフの状態に戻る。
【００５５】
一方、時計制御部６４は、時計スイッチ２２Ｄが押下され（Ｓ２１でＹｅｓ）、その状態が２秒以上継続したことを検出する（Ｓ２２でＹｅｓ）と、電子血圧計１０を電波の強制受信モードに移行させる。これにより、時計制御部６４は、アンテナ３１に標準電波の受信を開始させる（Ｓ２４）。このとき、時計制御部６４は、時計スイッチ２２Ｄが再度押下されたことを検出する（Ｓ２５でＹｅｓ）と、アンテナ３１による電波の受信を中止させ、電子血圧計１０を手動時刻設定モードに移行させる。手動時刻設定モードでは、時計制御部６４は、使用者の操作に応じて計時部３５の時刻を設定する（Ｓ２６）。設定が終了するか途中で測定／停止スイッチ２２Ａが押下されると、電子血圧計１０は電源がオフの状態に戻る。
【００５６】
一方、時計制御部６４は、アンテナ３１による標準電波の受信中に時計スイッチ２２Ｄの押下を検出しなければ（Ｓ２５でＮｏ）、電波の受信に成功したか否かを判定する（Ｓ２７）。電波の受信に成功した場合（Ｓ２７でＹｅｓ）には、時計制御部６４は、アンテナ３１により受信された電波から得られた時刻情報に基づき計時部３５が示す日時を修正し（Ｓ２８）、電子血圧計１０を電源オフの状態にする。電波の受信に失敗した場合（Ｓ２７でＮｏ）には、時計制御部６４は、計時部３５が示す日時を修正せずに、電子血圧計１０を電源オフの状態にする。以上で、電子血圧計１０によるモード切替え処理は終了する。
【００５７】
図７は、電子血圧計１０による電波受信処理の例を示すフローチャートである。図７のフローは、時計スイッチ２２Ｄが操作されて電子血圧計１０が強制受信モードに移行したときか、または計時部３５が示す現在時刻が予め定められた電波の受信時刻になったときに実行される。
【００５８】
時計制御部６４は、まず、アンテナ３１に標準電波を受信させる（Ｓ３１）。所要時間１分間で受信される分、時、日（１月１日からの通算日）、年および曜日の情報（全タイムコード）の受信が完了していない場合（Ｓ３２でＮｏ）にはＳ３１に戻り、時計制御部６４は、引き続きアンテナ３１による標準電波の受信を継続させる。一方、全タイムコードの受信が完了した場合（Ｓ３２でＹｅｓ）には、時計制御部６４は、受信回路３２が抽出した日時データ（時刻情報）を取得する（Ｓ３３）。Ｓ３３で取得された日時データに何らかのエラーがあった場合（Ｓ３４でＮｏ）にはＳ３１に戻り、時計制御部６４は、再度アンテナ３１に標準電波を受信させる。一方、受信データにエラーがない場合（Ｓ３４でＹｅｓ）には、時計制御部６４は、抽出された時刻情報をメモリ５０に記憶して、受信履歴を更新する（Ｓ３５）。
【００５９】
そして、時計制御部６４は、メモリ５０を参照して、今回取得された時刻情報と前回取得された時刻情報に整合性があるか否かを、すなわち、両者の時刻情報の取得の時間間隔に対応して１分間または数分間だけ異なる時刻を表しているか否かを判定する（Ｓ３６）。時刻情報に整合性がない場合（Ｓ３６でＮｏ）にはＳ３１に戻り、時計制御部６４は、再度アンテナ３１に標準電波を受信させる。一方、時刻情報に整合性がある場合（Ｓ３６でＹｅｓ）には、時計制御部６４は、その時刻情報を使用して計時部３５の日時を設定し（Ｓ３７）、電子血圧計１０を電源オフの状態にする。以上で、電子血圧計１０による電波受信処理は終了する。
【００６０】
図８は、電子血圧計１０による年データ判定処理の例を示すフローチャートである。図８のフローは、例えば図７の電波受信処理のフローにおけるＳ３４のエラー判定において実行される。
【００６１】
時計制御部６４は、アンテナ３１が受信し受信回路３２が抽出した時刻情報（日時データ）を取得する（Ｓ４１）。そして、時計制御部６４は、その時刻情報における年の値（年データ）が計時部３５に設定可能な特定の範囲内であるか否かを判定する（Ｓ４２）。年の値がその特定の範囲内に含まれない場合（Ｓ４２でＮｏ）には、時計制御部６４は、その時刻情報にエラーがあったと判定して、日時データを確定せずに処理を終了する。一方、年の値がその特定の範囲内に含まれる場合（Ｓ４２でＹｅｓ）には、時計制御部６４は、その時刻情報を正しい時刻情報（日時データ）であると確定する（Ｓ４３）。以上で、電子血圧計１０による年データ判定処理は終了する。
【００６２】
受信制御部６５は、測定動作と受信動作が同時に実行されないように制御する。これは、電子血圧計１０の主要な機能は血圧測定であり、血圧測定と電波受信を同時に行う必要性が低いこと、血圧測定中に電波受信を行うと確実に受信できない場合があることなどによる。
【００６３】
例えば、受信制御部６５は、受信動作の実行中に測定／停止スイッチ２２Ａが操作された場合には、その実行中の受信を中止させ、そのとき得られた時刻情報を破棄して、計時部３５の時刻設定も中止させる。この場合、受信制御部６５は、予め定められた次の受信予定時刻まで受信を待たせてもよいし、受信中止後の一定時間経過した時点を次の受信予定時刻に再設定してもよい。また、受信制御部６５は、アンテナ３１による電波の受信中に、使用者が測定値の履歴を参照するために使用者選択スイッチ２２Ｅを操作した場合にも、同様に、電波受信と時刻設定を中止させてもよい。
【００６４】
なお、受信制御部６５は、受信が終了してから計時部３５の時刻設定が完了するまでの間に測定／停止スイッチ２２Ａが操作された場合にも、直前の受信により得られた時刻情報を破棄し、計時部３５の時刻設定を中止させてもよい。ただし、アンテナ３１による電波の受信が終わっていれば、測定／停止スイッチ２２Ａが操作された場合であっても計時部３５の時刻設定を中止せず、計時部３５の時刻設定が完了するまで血圧測定の開始を待たせてもよい。
【００６５】
受信制御部６５は、測定動作の実行中にアンテナ３１による電波の受信予定時刻が来た場合には、その受信予定時刻における受信動作の実行を中止させ、血圧測定を継続させる。また、受信制御部６５は、表示部２１による測定結果の表示中にアンテナ３１による電波の受信予定時刻が来た場合にも、その受信予定時刻における受信動作の実行を中止させ、測定結果の表示を継続させる。また、受信制御部６５は、アラーム４０の鳴動中にアンテナ３１による電波の受信予定時刻が来た場合にも、その受信予定時刻における受信動作の実行を中止させ、アラーム４０の鳴動を継続させる。これらの場合にも、受信制御部６５は、予め定められた次の受信予定時刻まで受信動作の実行を待たせてもよいし、受信動作の中止後の一定時間経過した時点を新たな電波の受信予定時刻（次の受信動作の実行予定時刻）に再設定してもよい。このような処理を行うことで、電波受信が自動的に開始するために使用者の意図に反して電子血圧計１０が動作することが防止される。すなわち、血圧測定中に測定が停止したり、測定結果の表示中に表示内容が時刻設定に関するものに切り替わったり、鳴動時刻になってもアラーム４０が鳴らなくなったりすることがなくなる。
【００６６】
また、受信制御部６５は、電子血圧計１０が電池２９Ｂで動作している場合には、電池２９Ｂの残容量に応じて、上記した受信動作の実行を制限する。例えば、受信制御部６５は、電池２９Ｂの電圧変化に応じて、受信動作の実行回数を段階的に減少させる。また、受信制御部６５は、電池２９Ｂの電圧が予め定められた閾値以下である場合には、受信動作の実行を中止させる。例えば、アンテナ３１が毎日３回、自動で電波を受信すると仮定すると、受信制御部６５は、電圧低下検出部２９Ｃから電池２９Ｂの電圧低下が報知されたときに、その電圧に応じて１日の受信回数を２回、１回と順に減少させたり、一気に１回に減少させたり、あるいは０回に（すなわち受信を禁止）したりする。あるいは、電池２９Ｂの電圧に応じて受信回数を減らすが、１日１回は必ず受信を行うようにしてもよい。なお、受信動作の実行回数は、アンテナ３１が電波の受信に成功せずに受信を繰り返す場合でも、１つの受信予定時刻における連続した受信および時刻設定の動作を１回と数える。
【００６７】
また、受信制御部６５は、強制受信の場合における電波の受信回数も制限してもよい。例えば、受信制御部６５は、使用者の操作により１日に実行可能な強制受信の回数の上限を設定しておき、その上限の範囲内である場合のみ、電子血圧計１０が強制受信モードに移行し電波を強制受信して計時部３５の時刻を設定することを許可してもよい。
【００６８】
あるいは、受信制御部６５は、アンテナ３１が電波の受信に成功しない場合に受信を繰り返す受信期間の長さを、電池の電圧変化に応じて段階的に短くしてもよい。例えば、電池２９Ｂの電圧が十分ある場合に電波受信を最長で１５分間継続するならば、受信制御部６５は、電圧低下検出部２９Ｃから電池２９Ｂの電圧低下が報知されたときに、その電圧に応じて受信期間を１０分間、５分間と段階的に短くしてもよいし、一気に５分間にしてもよい。さらに、受信制御部６５は、受信動作の実行回数の制限と受信期間の制限の両方を行ってもよい。
【００６９】
血圧測定１回の電池消費量は、例えば、測定時間が４５秒、測定結果の表示時間が３分であると仮定すると、１．６ｍＡｈ程度である。一方、電波受信１回の電池消費量は、例えば、電波の受信に成功せず１６分間受信を繰り返したと仮定すると、０．８ｍＡｈ程度である。このように、電波受信１回の電池消費量は血圧測定１回の電池消費量と比べて少ないが、電池２９Ｂが消耗してきた際に電波の受信が繰り返されると、血圧計としての本来の機能ではない電波受信によって電池２９Ｂがさらに消耗してしまう。しかしながら、電子血圧計１０では、受信制御部６５が上記の処理を行うことにより、電池２９Ｂのさらなる消耗が抑制される。
【００７０】
図９は、電子血圧計１０による受信開始判定処理の例を示すフローチャートである。図９のフローは、電子血圧計１０の動作中に常時実行される。
【００７１】
受信制御部６５は、電子血圧計１０の動作中に、自動受信時刻になったか否か、すなわち、計時部３５が示す現在時刻が電波の受信予定時刻に一致したか否かを常時判定する（Ｓ５１）。そして、自動受信時刻になったときには、受信制御部６５は、現在、血圧測定中であるか否か（Ｓ５２）、測定結果の表示中であるか否か（Ｓ５３）、またはアラーム４０の鳴動中であるか否か（Ｓ５４）を順次判定する。これらのいずれかが実行中である場合（Ｓ５２〜Ｓ５４のいずれかでＹｅｓ）には、受信制御部６５は、今回の受信予定時刻における受信を中止させ、一定時間後の時点を次の受信予定時刻に再設定する（Ｓ５５）。その後、処理はＳ５１に戻り、受信制御部６５は、次の受信予定時刻まで待機する。一方、血圧測定と測定結果の表示とアラーム鳴動のいずれも実行中でない場合（Ｓ５２〜Ｓ５４のいずれもＮｏ）には、受信制御部６５は、アンテナ３１に電波の受信を開始させ、時計制御部６４に図７の電波受信処理を実行させる（Ｓ５６）。以上で、電子血圧計１０による受信開始判定処理は終了する。
【００７２】
図１０は、電子血圧計１０による受信制限処理の例を示すフローチャートである。図１０のフローは、血圧測定などの実行中ではなく、表示部２１が現在時刻（日時）のみを表示しているときに実行される。図１０の例では、電波受信は、電池２９Ｂの電圧が４．５Ｖ以上のときには毎日午前２時、午前３時および午前４時の３回、電池２９Ｂの電圧が４〜４．５Ｖのときには毎日午前２時および午前４時の２回行われ、電池２９Ｂの電圧が４Ｖ未満のときには全く行われないと仮定する。
【００７３】
まず、受信制御部６５は、計時部３５が示す現在時刻が午前２時、午前３時、午前４時のいずれかに一致しているか否かを判定し（Ｓ６１）、一致している場合のみ、以下の処理を行う。現在時刻が午前２時、午前３時、午前４時のいずれかに一致している場合（Ｓ６１でＹｅｓ）には、受信制御部６５は、さらに電池２９Ｂの電圧が４Ｖ以上であるか否かを判定する（Ｓ６２）。電池２９Ｂの電圧が４Ｖ未満である場合（Ｓ６２でＮｏ）には、表示制御部６３は、電池電圧が低下した（電池容量がない）ことを示すマークを表示部２１に点灯表示させる（Ｓ６３）。その後、処理はＳ６１に戻り、この場合は電池２９Ｂの電圧が少ないため、受信予定時刻になっても電波受信は行われない。
【００７４】
一方、電池２９Ｂの電圧が４Ｖ以上であり（Ｓ６２でＹｅｓ）かつ４．５Ｖ未満である（Ｓ６４でＮｏ）場合には、表示制御部６３は、電池電圧が低下した（電池容量が少ない）ことを示すマークを表示部２１に点滅表示させる（Ｓ６５）。このとき、現在時刻が午前３時であれば（Ｓ６６でＹｅｓ）、電池２９Ｂの電圧が少ないために電波受信は行われず、処理はＳ６１に戻る。
【００７５】
一方、電池２９Ｂの電圧が４．５Ｖ以上である（Ｓ６４でＹｅｓ）か、または４．５Ｖ未満でも現在時刻が午前２時もしくは午前４時である場合（Ｓ６６でＮｏ）には、受信制御部６５は、アンテナ３１に標準電波を受信させる（Ｓ６７）。そして、電波の受信に成功した場合（Ｓ６８でＹｅｓ）には、時計制御部６４は、アンテナ３１により受信された電波から得られた時刻情報に基づき計時部３５の日時を修正し（Ｓ７０）、電子血圧計１０を電源オフの状態（時計表示状態）にする。電波の受信に失敗した場合（Ｓ６８でＮｏ）には、受信時間が１５分未満である間（Ｓ６９でＮｏ）はＳ６７に戻り、時計制御部６４は、再度アンテナ３１に標準電波を受信させる。一方、受信時間が１５分に達したら（Ｓ６９でＹｅｓ）、時計制御部６４は、計時部３５の日時を修正せずに（Ｓ７１）、電子血圧計１０を電源オフの状態（時計表示状態）にする。以上で、電子血圧計１０による受信制限処理は終了する。
【００７６】
なお、電波時計３０には、標準電波に限らず、時刻情報を含む他の電波を利用してもよい。例えば、アンテナ３１および受信回路３２に代えて、ＧＰＳ（Global Positioning System：全地球測位システム）衛星からの電波を受信するアンテナと、そのアンテナにより受信されたＧＰＳ信号から時刻情報を抽出する受信回路を設けて、この受信回路により抽出された時刻情報を計時部３５の時刻設定に使用してもよい。
【符号の説明】
【００７７】
１０    電子血圧計
２０    本体ケース
２１    表示部
２２    操作部
２３    加圧ポンプ
２５    圧力センサ
２７    電磁制御弁
２９    電源部
３０    電波時計
３１    アンテナ
３５    計時部
４０    アラーム
５０    メモリ
６０    制御部
７０    空気管
８０    カフ
【図１】
0006391478.tif 000002
【図２】
0006391478.tif 000003
【図３】
0006391478.tif 000004
【図４】
0006391478.tif 000005
【図５】
0006391478.tif 000006
【図６】
0006391478.tif 000007
【図７】
0006391478.tif 000008
【図８】
0006391478.tif 000009
【図９】
0006391478.tif 000010
【図１０】
0006391478.tif 000011